Podtech/llm-jp-corpus-v4-ja_patent huggingface dataset:
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域に設けられ、遊技球が進入可能な始動領域と、
前記始動領域への遊技球の進入を条件として、大役遊技の実行可否を決定する大役抽選に用いられる大役遊技用乱数を少なくとも取得し、保留情報として記憶部に記憶する乱数取得手段と、
始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、
前記抽選手段によって導出された抽選結果に基づいて、該抽選結果を報知する変動演出の実行態様を決定するための変動情報を決定する変動情報決定手段と、
前記変動情報決定手段によって決定された前記変動情報に基づいて、前記変動演出の実行態様を決定する変動演出態様決定手段と、
前記変動演出態様決定手段の決定にしたがって、前記変動演出を実行する変動演出実行手段と、
前記記憶部に保留情報が記憶されると、該保留情報に基づいて事前判定情報を導出する事前判定手段と、
前記事前判定手段によって前記事前判定情報が導出されてから、該事前判定情報に対応する保留情報が読み出されて導出される大役抽選の結果を報知する変動演出が終了するまでの所定の表示期間中に保留表示部に表示され、互いに識別可能な複数の表示パターンを有する保留表示の該表示期間中における表示態様を、該事前判定情報に基づいて決定する第１保留表示決定手段と、
前記第１保留表示決定手段によって決定される前記表示期間中の保留表示の表示態様には、該表示期間中に実行されるいずれかの変動演出を変化対象変動演出とし、該変化対象変動演出中に表示パターンを異ならせる変化表示態様が含まれており、該第１保留表示決定手段によって該変化表示態様が決定された場合、該変化対象変動演出の開始時に、該変化対象変動演出にかかる前記変動情報、または、該変化対象変動演出の実行態様のいずれかに基づいて、表示パターンの変化態様を決定する第２保留表示決定手段と、
前記第１保留表示決定手段および前記第２保留表示決定手段の決定にしたがって、前記表示期間中、前記保留表示部に保留表示を表示制御する保留表示実行手段と、
を備えたことを特徴とする遊技機。
【請求項２】
前記第１保留表示決定手段によって決定される前記表示期間中の保留表示の表示態様には、該表示期間中に実行されるいずれかの変動演出を非変化対象変動演出とし、該非変化対象変動演出中に表示パターンを異ならせない非変化表示態様が含まれており、
前記変化対象変動演出および前記非変化対象変動演出の開始時に、前記保留表示決定手段により決定された前記保留表示の表示態様に基づいて、前記表示パターンを変化させるか否かを示唆する示唆演出の実行可否を決定する示唆演出決定手段と、
前記示唆演出決定手段により前記示唆演出の実行が決定された場合、該示唆演出を実行する示唆演出実行手段と、
を備えることを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技球が流下する遊技領域が形成された遊技盤と、前記遊技領域に設けられ、遊技球が進入可能な始動領域と、前記始動領域への遊技球の進入を条件として、大役遊技の実行可否を決定する大役抽選に用いられる大役遊技用乱数を少なくとも取得し、保留情報として記憶部に記憶する乱数取得手段と、始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、前記抽選手段によって導出された抽選結果に基づいて、該抽選結果を報知する変動演出の実行態様を決定するための変動情報を決定する変動情報決定手段と、前記変動情報決定手段によって決定された前記変動情報に基づいて、前記変動演出の実行態様を決定する変動演出態様決定手段と、前記変動演出態様決定手段の決定にしたがって、前記変動演出を実行する変動演出実行手段と、前記記憶部に保留情報が記憶されると、該保留情報に基づいて事前判定情報を導出する事前判定手段と、前記事前判定手段によって前記事前判定情報が導出されてから、該事前判定情報に対応する保留情報が読み出されて導出される大役抽選の結果を報知する変動演出が終了するまでの所定の表示期間中に保留表示部に表示され、互いに識別可能な複数の表示パターンを有する保留表示の該表示期間中における表示態様を、該事前判定情報に基づいて決定する第１保留表示決定手段と、前記第１保留表示決定手段によって決定される前記表示期間中の保留表示の表示態様には、該表示期間中に実行されるいずれかの変動演出を変化対象変動演出とし、該変化対象変動演出中に表示パターンを異ならせる変化表示態様が含まれており、該第１保留表示決定手段によって該変化表示態様が決定された場合、該変化対象変動演出の開始時に、該変化対象変動演出にかかる前記変動情報、または、該変化対象変動演出の実行態様のいずれかに基づいて、表示パターンの変化態様を決定する第２保留表示決定手段と、前記第１保留表示決定手段および前記第２保留表示決定手段の決定にしたがって、前記表示期間中、前記保留表示部に保留表示を表示制御する保留表示実行手段と、を備える。
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
識別情報の可変表示を行い、表示結果として予め定められた特定表示結果が導出されたときに、遊技者にとって有利な有利状態に制御する遊技機であって、
未だ開始されていない識別情報の可変表示に関する情報を保留記憶として記憶する保留記憶手段と、
前記保留記憶手段に記憶された保留記憶に対応して保留表示を行う保留表示手段と、
第１演出と第２演出とを含む複数種類の演出のうちのいずれかと、第１演出態様と第２演出態様とを含む複数種類の演出態様のうちのいずれかと、により、前記保留表示の表示態様を変化させることが可能な変化演出を実行する変化演出実行手段と、を備え、
前記変化演出実行手段は、前記第１演出により前記変化演出を実行するときと前記第２演出により前記変化演出を実行するときとで、前記第１演出態様により前記変化演出を実行する場合に前記保留表示の表示態様が変化する割合と前記第２演出態様により前記変化演出を実行する場合に前記保留表示の表示態様が変化する割合とが異なるように、前記変化演出を実行する、
ことを特徴とする遊技機。
【請求項２】
遊技の進行を制御する遊技制御手段を備え、
前記遊技制御手段は、
識別情報の可変表示の開始前に判定を行う判定手段と、
前記判定手段の判定結果を特定可能な情報を送信する送信手段と、
を含み、
前記遊技制御手段からの情報に基づいて、演出を実行する演出実行手段をさらに備える、
ことを特徴とする請求項１に記載の遊技機。
【手続補正２】
【補正対象書類名】明細書
【補正対象項目名】０００７
【補正方法】変更
【補正の内容】
【０００７】
（１）上記目的を達成するため、本願発明に係る遊技機は、
識別情報（例えば、特別図柄や飾り図柄など）の可変表示を行い、表示結果として予め定められた特定表示結果（例えば、大当り図柄となる特別図柄や大当り組合せの確定飾り図柄など）が導出されたときに、遊技者にとって有利な有利状態（例えば、大当り遊技状態など）に制御する遊技機（例えばパチンコ遊技機１など）であって、
未だ開始されていない識別情報の可変表示に関する情報を保留記憶として記憶する保留記憶手段（例えば、第１特図保留記憶部及び第２特図保留記憶部など）と、
前記保留記憶手段に記憶された保留記憶に対応して保留表示を行う保留表示手段（例えば、ステップＳ６８３の処理を実行する演出制御用ＣＰＵ１２０など）と、
第１演出（例えば、キャラクターＡなど）と第２演出（例えば、キャラクターＢなど）とを含む複数種類の演出のうちのいずれかと、第１演出態様（例えば、剣を振りかざす態様など）と第２演出態様（例えば、銃を撃つ態様など）とを含む複数種類の演出態様のうちのいずれかと、により、前記保留表示の表示態様（例えば、保留表示図柄の色など）を変化させることが可能な変化演出（例えば、保留変化演出など）を実行する変化演出実行手段（例えば、ステップＳ５５３の処理を実行する演出制御用ＣＰＵ１２０など）と、を備え、
前記変化演出実行手段は、前記第１演出により前記変化演出を実行するときと前記第２演出により前記変化演出を実行するときとで、前記第１演出態様により前記変化演出を実行する場合に前記保留表示の表示態様が変化する割合と前記第２演出態様により前記変化演出を実行する場合に前記保留表示の表示態様が変化する割合とが異なるように（例えば、図２０、図２３の決定割合を参照）、前記変化演出を実行する、
ことを特徴とする。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
図柄が付された回転可能な複数のリールと、遊技進行を制御するメイン制御手段と、演出装置に演出を実行するよう制御するサブ制御手段とを有し、遊技者による操作に基づいて停止した前記リールが表示する図柄の表示態様が役抽選手段により当選した所定の役に対応するとき当該役が成立する遊技を提供するスロットマシンであって、
前記役抽選手段は、特別遊技に移行させる特別遊技役を含めて抽選を実行可能とし、
前記メイン制御手段は、
前記役抽選手段による抽選結果に基づき設定される情報を含む複数の情報を記憶する第１記憶手段と、
所定の操作態様に基づいて遊技者の有利度合に対応した設定値を変更可能とする設定変更手段と、
前記所定の操作態様に基づいて、前記第１記憶手段の所定範囲の情報を初期化する第１初期化手段と、を備え、
前記サブ制御手段は、
実行する演出を決定する演出決定手段と、
前記演出決定手段により決定された演出に関連する情報を記憶する第２記憶手段と、を備え、
前記メイン制御手段は、前記特別遊技役に当選している状況において、前記第１初期化手段により前記所定範囲の情報を初期化すると、初期化した以降であっても当選している当該特別遊技役が成立した場合には特別遊技に移行するように制御し、
前記サブ制御手段は、前記第１初期化手段により前記所定範囲の情報が初期化された以降に前記第２記憶手段に記憶されていた前記演出に関連する情報を初期化し、
前記サブ制御手段は、所定の条件を満たすと前記第２記憶手段に前記演出に関連する情報のうち所定の情報を記憶するよう制御することを特徴とするスロットマシン。
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
可変表示の表示結果が特定表示結果となったときに遊技者にとって有利な特定遊技状態に制御可能な遊技機であって、
前記特定遊技状態において遊技媒体が進入しやすい状態に変化可能な可変入賞装置と、
可変表示態様を特定可能な第１データ、または該第１データとは特定可変表示の設定割合が異なる第２データを使用して、可変表示態様を決定する可変表示態様決定手段と、
遊技状態を、通常遊技状態であるときに比べて可変表示の表示結果が前記特定表示結果になりやすい特別遊技状態に制御可能な遊技状態制御手段と、
前記特別遊技状態であるときと前記特別遊技状態でないときとにおいて共通演出を実行する共通演出実行手段と、
未だ開始されていない可変表示について、保留情報を記憶する保留記憶手段と、
保留情報に対応する未だ開始されていない可変表示が、前記特定表示結果となることを予告する予告演出を実行する予告演出実行手段とを備え、
前記特定遊技状態には、前記可変入賞装置が遊技媒体が進入しやすい状態に制御される第１特定遊技状態と、前記可変入賞装置が前記第１特定遊技状態よりも不利な態様にて遊技媒体が進入しやすい状態に制御される第２特定遊技状態と、前記可変入賞装置が前記第１特定遊技状態よりも不利な態様にて遊技媒体が進入しやすい状態に制御される第３特定遊技状態とが含まれ、
前記遊技状態制御手段は、前記通常遊技状態において前記第２特定遊技状態が終了したときに遊技状態を前記特別遊技状態に制御し、前記第３特定遊技状態が終了したときに少なくとも前記特別遊技状態とせず、
前記可変表示態様決定手段は、前記第３特定遊技状態に制御された後に、前記第１データまたは前記第２データを使用し、前記第２特定遊技状態に制御された後に、前記第１データと同一または略同一のデータを前記第２データよりも高い割合により使用し、
前記共通演出実行手段は、前記第３特定遊技状態に制御された後、前記可変表示態様決定手段が前記第１データを使用している状態において第１共通演出を実行し、前記可変表示態様決定手段が前記第２データを使用している状態において該第１共通演出とは演出態様が異なる第２共通演出を実行し、前記第２特定遊技状態に制御された後に、前記第１共通演出を前記第２共通演出よりも高い割合により実行し、
前記予告演出実行手段は、前記予告演出の対象となる保留情報よりも前に記憶されている保留情報に、前記第３特定遊技状態に制御されることとなる可変表示が記憶されている場合には、前記予告演出の実行を制限する、遊技機。
【手続補正２】
【補正対象書類名】明細書
【補正対象項目名】００１２
【補正方法】変更
【補正の内容】
【００１２】
（１）本発明による遊技機は、可変表示の表示結果が特定表示結果（例えば、大当り図柄）となったときに遊技者にとって有利な特定遊技状態（例えば、大当り遊技状態）に制御可能な遊技機であって、前記特定遊技状態において遊技媒体（例えば、遊技球）が進入しやすい状態に変化可能な可変入賞装置（例えば、特別可変入賞球装置２０）と、可変表示態様を特定可能な第１データ（例えば、第１テーブル）、または該第１データとは特定可変表示の設定割合が異なる第２データ（例えば、第２テーブルまたは第３テーブル）を使用して、可変表示態様を決定する可変表示態様決定手段（例えば、遊技制御用マイクロコンピュータ５６０において、Ｓ１０５の処理を実行する部分）と、遊技状態を、通常遊技状態であるときに比べて可変表示の表示結果が前記特定表示結果になりやすい特別遊技状態（例えば、確変状態）に制御可能な遊技状態制御手段（例えば、遊技制御用マイクロコンピュータ５６０において、Ｓ１７１，Ｓ１７４の処理を実行する部分）と、前記特別遊技状態であるときと前記特別遊技状態でないときとにおいて共通演出を実行する共通演出実行手段（例えば、演出制御用マイクロコンピュータ１００において、Ｓ９０８，Ｓ９１８，Ｓ９２８の処理を実行する部分）と、未だ開始されていない可変表示について、保留情報を記憶する保留記憶手段と、保留情報に対応する未だ開始されていない可変表示が、前記特定表示結果となることを予告する予告演出を実行する予告演出実行手段とを備え、前記特定遊技状態には、前記可変入賞装置が遊技媒体が進入しやすい状態に制御される第１特定遊技状態（例えば、１５Ｒ確変大当りにもとづく大当り遊技状態）と、前記可変入賞装置が前記第１特定遊技状態よりも不利な態様にて遊技媒体が進入しやすい状態に制御される第２特定遊技状態（例えば、突然確変大当りにもとづく大当り遊技状態）と、前記可変入賞装置が前記第１特定遊技状態よりも不利な態様にて遊技媒体が進入しやすい状態に制御される第３特定遊技状態（例えば、小当り遊技状態）とが含まれ、前記遊技状態制御手段は、前記通常遊技状態において前記第２特定遊技状態が終了したときに遊技状態を前記特別遊技状態に制御し、前記第３特定遊技状態が終了したときに少なくとも前記特別遊技状態とせず（図２９におけるＳ１７４、および図３０参照）、前記可変表示態様決定手段は、前記第３特定遊技状態に制御された後に、前記第１データまたは前記第２データを使用し、前記第２特定遊技状態に制御された後に、前記第１データと同一または略同一のデータを前記第２データよりも高い割合により使用し（図４および図１３（Ｂ）参照）、前記共通演出実行手段は、前記第３特定遊技状態に制御された後、前記可変表示態様決定手段が前記第１データを使用している状態において第１共通演出（例えば、ステージ１）を実行し、前記可変表示態様決定手段が前記第２データを使用している状態において該第１共通演出とは演出態様が異なる第２共通演出（例えば、ステージ２またはステージ３）を実行し、前記第２特定遊技状態に制御された後に、前記第１共通演出を前記第２共通演出よりも高い割合により実行し（例えば、Ｓ９９の処理で図１３（Ｂ）に示すテーブルが使用され、かつ、Ｓ９９の処理で決定されたステージがＳ１００の処理でステージ指定コマンドとして演出制御用マイクロコンピュータ１００に送信され、演出制御用マイクロコンピュータ１００がＳ６６４の処理でステージ指定コマンドに応じたステージに変更することによって実現される）、前記予告演出実行手段は、前記予告演出の対象となる保留情報よりも前に記憶されている保留情報に、前記第３特定遊技状態に制御されることとなる可変表示が記憶されている場合には、前記予告演出の実行を制限することを特徴とする。
【手続補正書】
【提出日】平成28年1月8日(2016.1.8)
【手続補正１】
【補正対象書類名】明細書
【補正対象項目名】０００６
【補正方法】変更
【補正の内容】
【０００６】
前記課題を解決するために、本発明に係るバンド取付構造は、
腕に装着されるバンドを本体ケースに取り付けるバンド取付構造において、
前記本体ケースの１２時側のバンド取付部と前記バンドとの連結部分に、その裏面側から接触する第１の接触部を備える第１の連結部材と、
前記本体ケースの６時側のバンド取付部と前記バンドとの連結部分に、その裏面側から接触する第２の接触部を備える第２の連結部材とが配置され、
前記第１の接触部の厚みは、第２の接触部の厚みより厚くしたことを特徴としている。
【手続補正２】
【補正対象書類名】特許請求の範囲
【補正対象項目名】全文
【補正方法】変更
【補正の内容】
【特許請求の範囲】
【請求項１】
腕に装着されるバンドを本体ケースに取り付けるバンド取付構造において、
前記本体ケースの１２時側のバンド取付部と前記バンドとの連結部分に、その裏面側から接触する第１の接触部を備える第１の連結部材と、
前記本体ケースの６時側のバンド取付部と前記バンドとの連結部分に、その裏面側から接触する第２の接触部を備える第２の連結部材とが配置され、
前記第１の接触部の厚みは、第２の接触部の厚みより厚くしたことを特徴とするバンド取付構造。
【請求項２】
前記第１の連結部材は、前記第１の接触部における前記本体ケース及び前記バンドの裏面側に接触する面から前記本体ケース及び前記バンドの表面側に向かって立設された第１の補強部を備え、
前記第２の連結部材は、前記第２の接触部における前記本体ケース及び前記バンドの裏面側に接触する面から前記本体ケース及び前記バンドの表面側に向かって立設された第２の補強部を備えることを特徴とする請求項１に記載のバンド取付構造。
【請求項３】
前記本体ケースと前記バンドとは連結部分に棒状部材を挿通させることにより連結されており、
前記第１の補強部及び前記第２の補強部には、前記棒状部材を挿通させる貫通孔が形成されていることを特徴とする請求項１又は請求項２に記載のバンド取付構造。
【手続補正書】
【提出日】平成28年3月9日(2016.3.9)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールに対応して設けられ、前記リールの回転を停止させるときに遊技者が操作するストップスイッチと、
特定役を含む役の抽選を行う役抽選手段と、
前記役抽選手段による役の抽選結果に基づいて、前記ストップスイッチが操作されたときに前記リールを停止させるように制御するリール停止制御手段と、
画像表示手段と
を備え、
前記役抽選手段による役の抽選が行われた結果、特定役に対応する特定の図柄の組合せが有効ラインに停止可能となった遊技では、前記特定の図柄の組合せが有効ラインに停止するための最初に操作すべき前記ストップスイッチを含む前記ストップスイッチの操作順番が、特定役に対応する前記特定の図柄の組合せが有効ラインに停止可能となった遊技ごとに決定されるようにし、
前記リール停止制御手段は、特定役に対応する前記特定の図柄の組合せが有効ラインに停止可能となった遊技では、最初に操作された前記ストップスイッチを含めた前記ストップスイッチの操作順番が前記決定された操作順番で操作されたときは前記特定の図柄の組合せを有効ラインに停止させ、前記決定された操作順番以外の操作順番で操作されたときは前記特定の図柄の組合せを有効ラインに停止させないように制御し、
特定役に対応する前記特定の図柄の組合せが有効ラインに停止可能となった遊技において、前記ストップスイッチが操作される前に、前記決定された操作順番の情報を報知する場合を有し、
前記決定された操作順番の情報を報知するときは、前記画像表示手段によって前記決定された操作順番の情報を画像表示する
ことを特徴とするスロットマシン。
【手続補正２】
【補正対象書類名】明細書
【補正対象項目名】０００７
【補正方法】変更
【補正の内容】
【０００７】
本発明は、以下の解決手段によって、上述の課題を解決する。
請求項１の発明（第２実施形態に相当）は、
複数種類の図柄を表示した複数のリール（３１）と、
各前記リールに対応して設けられ、前記リールの回転を停止させるときに遊技者が操作するストップスイッチ（４２）と、
特定役を含む役の抽選を行う役抽選手段（６１）と、
前記役抽選手段による役の抽選結果に基づいて、前記ストップスイッチが操作されたときに前記リールを停止させるように制御するリール停止制御手段（６３）と、
画像表示手段（文字情報表示部３３）と
を備え、
前記役抽選手段による役の抽選が行われた結果、特定役に対応する特定の図柄の組合せ（特定小役に対応する「ベル」−「ベル」−「ベル」）が有効ラインに停止可能となった遊技では、前記特定の図柄の組合せが有効ラインに停止するための最初に操作すべき前記ストップスイッチを含む前記ストップスイッチの操作順番が、特定役に対応する前記特定の図柄の組合せが有効ラインに停止可能となった遊技ごとに決定されるようにし、
前記リール停止制御手段は、特定役に対応する前記特定の図柄の組合せが有効ラインに停止可能となった遊技では、最初に操作された前記ストップスイッチを含めた前記ストップスイッチの操作順番が前記決定された操作順番で操作されたときは前記特定の図柄の組合せを有効ラインに停止させ、前記決定された操作順番以外の操作順番で操作されたときは前記特定の図柄の組合せを有効ラインに停止させないように制御し、
特定役に対応する前記特定の図柄の組合せが有効ラインに停止可能となった遊技において、前記ストップスイッチが操作される前に、前記決定された操作順番の情報を報知する場合（たとえば、ＢＢゲームの一般遊技中）を有し、
前記決定された操作順番の情報を報知するときは、前記画像表示手段によって前記決定された操作順番の情報を画像表示する
ことを特徴とするスロットマシン。
【手続補正３】
【補正対象書類名】明細書
【補正対象項目名】０００８
【補正方法】変更
【補正の内容】
【０００８】
請求項１の発明によれば、遊技者は、報知された内容に従ってストップスイッチを操作することにより、より有利な結果を得る（特定役に対応する特定の図柄の組合せを有効ラインに停止させる）ことができる。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
表面側から順に、（Ａ）透明樹脂フィルム層、（Ｂ）高輝度顔料を含む接着剤層、（Ｃ）着色基材フィルム層を有し、
上記（Ｂ）高輝度顔料を含む接着剤層は、
（ｂ１）透明接着剤１００質量部；及び
（ｂ２）平均粒子径１０〜２５０μｍの、表面を酸化チタン、酸化インジウム、酸化亜鉛、及び酸化錫からなる群から選択される１以上で被覆処理されたガラス粒子０．０１〜５質量部；を含み、
上記（Ｃ）着色樹脂フィルム層はＪＩＳ Ｚ８７２１：１９９３に従い測定した明度が、０以上、５未満の暗色である、化粧シート。
【請求項２】
上記（Ｃ）着色樹脂フィルム層のＪＩＳ Ｚ８７２１：１９９３に従い測定した明度が、０以上、３以下の暗色である、請求項１に記載の化粧シート。
【請求項３】
請求項１又は２に記載の化粧シートを用いてなる物品。
【請求項４】
請求項１又は２に記載の化粧シートの、物品の加飾化粧への使用。
【手続補正書】
【提出日】平成27年11月12日(2015.11.12)
【手続補正１】
【補正対象書類名】明細書
【補正対象項目名】発明の名称
【補正方法】変更
【補正の内容】
【発明の名称】複合製品及び防弾製品
【手続補正２】
【補正対象書類名】特許請求の範囲
【補正対象項目名】全文
【補正方法】変更
【補正の内容】
【特許請求の範囲】
【請求項１】
連続気泡構造の基層と、
硬化シート状成形材料の層とを含み、
前記硬化シート状成形材料の一部が、前記基層の表面の前記連続気泡構造の中へ入り込んでいる、複合製品。
【請求項２】
前記硬化シート状成形材料は、前記基層の表面の中に、前記基層上の前記硬化シート状成形材料の厚さの１０％を越えて中へ広がっている、請求項１に記載の複合製品。
【請求項３】
前記硬化シート状成形材料は、前記基層の表面の中に、前記基層上の前記硬化シート状成形材料の厚さの５０％を越えて中へ広がっている、請求項１又は２に記載の複合製品。
【請求項４】
前記基層は、発泡材料を含む、請求項１〜３のいずれか１項に記載の複合製品。
【請求項５】
前記基層は、１又は複数の、ブロックの形状である、請求項１〜４のいずれか１項に記載の複合製品。
【請求項６】
前記基層は、ポリウレタンフォーム、又は気泡のあるフェノール樹脂を含む、請求項１〜５のいずれか１項に記載の複合製品。
【請求項７】
前記基層は、気泡のあるフェノール樹脂を含む、請求項１〜６のいずれか１項に記載の複合製品。
【請求項８】
前記基層は、粘土、粘土鉱物、タルク、バーミキュライト、金属酸化物、金属パウダー、耐火物、固形又は中空の微小ガラス、フライアッシュ、コールダスト、木粉、穀粉、ナットシェル粉、シリカ、短く切られたガラスファイバ及び細かく分割されたアスベストのような鉱物繊維、短繊維、短く切られた天然又は合成のファイバ、埋立廃棄物のプラスチック及び樹脂のような、粉状又は繊維状の、グランドプラスチック及び樹脂、粉状の塗料及びカーボンブラックのような顔料、並びにでん粉から選ばれるフィラー材料を含む、請求項１〜７のいずれか１項に記載の複合製品。
【請求項９】
前記基層の材料の密度は、１００〜５００ｋｇ／ｍ３の範囲内である、請求項１〜８のいずれか１項に記載の複合製品。
【請求項１０】
前記基層の気泡の大きさは、０．５ｍｍ〜５ｍｍの範囲内である、請求項１〜９のいずれか１項に記載の複合製品。
【請求項１１】
前記基層は、非弾力的に押し潰し可能な材料を含む、請求項１〜１０のいずれか１項に記載の複合製品。
【請求項１２】
前記基層の少なくとも一部は、製品を成形するために押し潰されており、
その成形された製品は、１又はそれ以上の凹んだゾーンを有する、請求項１１に記載の複合製品。
【請求項１３】
前記シート状材料は、ポリエステル、ビニルエステル、エポキシ、フェノール、又はポリイミド樹脂から選ばる、請求項１〜１２のいずれか１項に記載の複合製品。
【請求項１４】
前記シート状材料は、更に補強ファイバを含む、請求項１〜１３のいずれか１項に記載の複合製品。
【請求項１５】
前記補強ファイバは、束ねられておらず、１又は複数の方向に配列されている、請求項１４に記載の複合製品。
【請求項１６】
前記補強ファイバは、互いに織られている又は編まれている、請求項１４に記載の複合製品。
【請求項１７】
前記補強ファイバは、マット状又ファブリック状はである、請求項１６に記載の複合製品。
【請求項１８】
前記補強ファイバは、カーボンファイバ、ガラスファイバ、アラミドファイバ、ポリエチレンファイバ、及び／又はケブラーファイバから選ばれる１つ以上である、請求項１４〜１７のいずれか１項に記載の複合製品。
【請求項１９】
前記シート状材料は、更に難燃剤、硬化材、反応促進剤、フィラー、及び／又は顔料を含む、請求項１〜１８のいずれか１項に記載の複合製品。
【請求項２０】
前記硬化シート状成形材料の外表面は、パターンが設けられている、請求項１〜１９のいずれか１項に記載の複合製品。
【請求項２１】
前記硬化シート状成形材料の外表面は、木目調パターンを有する、請求項２０に記載の複合製品。
【請求項２２】
前記硬化シート状成形材料は、更にベールを含む、請求項１〜２１のいずれか１項に記載の複合製品。
【請求項２３】
前記ベールは、織布材又は不織布材で構成されている、請求項２２に記載の複合製品。
【請求項２４】
前記ベールは、ポリエステル材からなり、重さが１２０〜１５０ｇ／ｍ２である、請求項２２又は２３に記載の複合製品。
【請求項２５】
前記複合製品の表面に上に、コーティング用化合物が存在する、請求項１〜２４のいずれか１項に記載の複合製品。
【請求項２６】
前記コーティング用化合物は、色が施されている、透明である、又は半透明である、請求項２５に記載の複合製品。
【請求項２７】
前記基層の第２の表面の前記連続気泡構造の中へ入り込んでいる、更なる硬化シート状成形材料の層を含み、前記基層が、硬化シート状成形材料の第１及び第２の層の間に位置する、請求項１〜２６のいずれか１項に記載の複合製品。
【請求項２８】
イス、テーブル、ランプ台、花瓶、若しくはボウルのような家具、ドア、窓、パネル、又は絵画のフレームの形状に形成されている、請求項１〜２７のいずれか１項に記載の複合製品。
【請求項２９】
請求項１８に記載の複合製品を含む、防弾製品。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
他の画像処理装置とネットワークを介して通信可能な画像処理装置であって、
前記他の画像処理装置に対する処理要求を外部装置から受信する受信手段と、
前記受信手段により受信された前記第１の種類の処理要求に基づき、省電力状態である前記他の画像処理装置に対して前記省電力状態から復帰するための指示を行い、当該第１種類の処理要求を前記他の画像処理装置に転送する転送手段と、
前記受信手段により受信された前記第２の種類の処理要求に基づき、前記省電力状態から復帰するための指示を前記他の画像処理装置に行うことなく当該第２の種類の処理要求を記憶する記憶手段と、を有し、
前記転送手段は、前記受信手段により受信された前記第１の種類の処理要求に基づき、当該第１の種類の処理要求、及び、前記記憶手段に記憶された前記第２の種類の処理要求を、前記他の画像処理装置に転送することを特徴とする画像処理装置。
【請求項２】
前記他の画像処理装置が前記省電力状態に移行する場合に、省電力状態に移行することを示すパケットを受信する他の受信手段を有することを特徴とする請求項１に記載の画像処理装置。
【請求項３】
前記第１の種類の処理要求は、前記他の画像処理装置に格納されているファイルであって要求された前記ファイルを、指示された装置に対して送信する要求であることを特徴とする請求項１または２に記載の画像処理装置。
【請求項４】
前記第２の種類の処理要求は、ファイルを前記他の画像処理装置へ格納する要求であることを特徴とする請求項１ないし３のいずれか１項に記載の画像処理装置。
【請求項５】
前記第２の種類の処理要求は、前記他の画像処理装置に格納されているファイルのファイル名を変更する要求であることを特徴とする請求項１ないし４のいずれか１項に記載の画像処理装置。
【請求項６】
前記第２の種類の処理要求は、前記他の画像処理装置に格納されているファイルの格納場所を変更する要求であることを特徴とする請求項１ないし５のいずれか１項に記載の画像処理装置。
【請求項７】
前記受信手段は、前記他の画像処理装置が省電力状態でない場合は前記他の画像処理装置に対する処理要求を受信しないことを特徴とする請求項１ないし６のいずれか１項に記載の画像処理装置。
【請求項８】
他の画像処理装置とネットワークを介して通信可能な画像処理装置の制御方法であって、
前記他の画像処理装置に対する処理要求を外部装置から受信する受信ステップと、
前記受信ステップで受信された前記第１の種類の処理要求に基づき、省電力状態である前記他の画像処理装置に対して前記省電力状態から復帰するための指示を行い、当該第１種類の処理要求を前記他の画像処理装置に転送する転送ステップと、
前記受信ステップで受信された前記第２の種類の処理要求に基づき、前記省電力状態から復帰するための指示を前記他の画像処理装置に行うことなく当該第２の種類の処理要求を記憶手段に記憶する記憶ステップと、を有し、
前記転送ステップでは、前記受信ステップで受信された前記第１の種類の処理要求に基づき、当該第１の種類の処理要求、及び、前記記憶手段に記憶された前記第２の種類の処理要求を、前記他の画像処理装置に転送することを特徴とする画像処理装置の制御方法。  
【請求項９】
他の画像処理装置とネットワークを介して通信可能な画像処理装置に、
前記他の画像処理装置に対する処理要求を外部装置から受信する受信ステップと、
前記受信ステップで受信された前記第１の種類の処理要求に基づき、省電力状態である前記他の画像処理装置に対して前記省電力状態から復帰するための指示を行い、当該第１種類の処理要求を前記他の画像処理装置に転送する転送ステップと、
前記受信ステップで受信された前記第２の種類の処理要求に基づき、前記省電力状態から復帰するための指示を前記他の画像処理装置に行うことなく当該第２の種類の処理要求を記憶手段に記憶する記憶ステップと、を実行させるためのプログラムであって、
前記転送ステップでは、前記受信ステップで受信された前記第１の種類の処理要求に基づき、当該第１の種類の処理要求、及び、前記記憶手段に記憶された前記第２の種類の処理要求を、前記他の画像処理装置に転送することを特徴とするプログラム。
【手続補正２】
【補正対象書類名】明細書
【補正対象項目名】０００９
【補正方法】変更
【補正の内容】
【０００９】
上記目的を達成するために、本発明の画像処理装置は、他の画像処理装置とネットワークを介して通信可能な画像処理装置において、前記他の画像処理装置に対する処理要求を外部装置から受信する受信手段と、前記受信手段により受信された前記第１の種類の処理要求に基づき、省電力状態である前記他の画像処理装置に対して前記省電力状態から復帰するための指示を行い、当該第１種類の処理要求を前記他の画像処理装置に転送する転送手段と、前記受信手段により受信された前記第２の種類の処理要求に基づき、前記省電力状態から復帰するための指示を前記他の画像処理装置に行うことなく当該第２の種類の処理要求を記憶する記憶手段と、を有し、前記転送手段は、前記受信手段により受信された前記第１の種類の処理要求に基づき、当該第１の種類の処理要求、及び、前記記憶手段に記憶された前記第２の種類の処理要求を、前記他の画像処理装置に転送することを特徴とする。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
制御装置の制御に従ってパケットの転送が制御される通信装置であって、
前記パケットに含まれる入力ポート情報に基づいて、前記制御装置の制御に従うか否かを判断する判断手段と、
処理規則に従って前記パケットを転送する転送手段と、
前記制御装置から送信された設定メッセージに基づいて、前記転送手段に前記処理規則を設定する設定手段と、
を備えることを特徴とする通信装置。
【請求項２】
前記通信装置と前記制御装置との間の制御プロトコルは、ＯｐｅｎＦｌｏｗプロトコルである
ことを特徴とする請求項１の通信装置。
【請求項３】
前記通信装置は、前記制御装置に新規フロー検出通知を送信する送信手段
をさらに備えることを特徴とする請求項１または２の通信装置。
【請求項４】
前記新規フロー検出通知は、前記設定メッセージを受信するためのメッセージである
ことを特徴とする請求項３の通信装置。
【請求項５】
前記判断手段が、前記制御装置の制御に従うと判断したときに、前記送信手段は、前記制御装置に前記新規フロー検出通知を送信する
ことを特徴とする請求項３または４の通信装置。
【請求項６】
前記入力ポート情報は、前記通信装置のポート番号を示す識別子である
ことを特徴とする請求項１から５のいずれかの通信装置。
【請求項７】
制御装置の制御に従ってパケットの転送が制御される通信装置におけるパケット通信方法であって、
前記パケットに含まれる入力ポート情報に基づいて、前記制御装置の制御に従うか否かを判断し、
前記制御装置から送信された設定メッセージに基づいて、前記パケットの転送を制御するための処理規則を設定し、
前記処理規則に従って前記パケットを転送する
ことを特徴とするパケット通信方法。
【請求項８】
前記通信装置と前記制御装置との間の制御プロトコルは、ＯｐｅｎＦｌｏｗプロトコルである
ことを特徴とする請求項７のパケット通信方法。
【請求項９】
前記入力ポート情報は、前記通信装置のポート番号を示す識別子である
ことを特徴とする請求項７または８のパケット通信方法。
【請求項１０】
制御装置の制御に従ってパケットの転送が制御される通信装置で実行されるプログラムであって、
前記パケットに含まれる入力ポート情報に基づいて、前記制御装置の制御に従うか否かを判断する処理と、
前記制御装置から送信された設定メッセージに基づいて、前記パケットの転送を制御するための処理規則を設定する処理と、
を含むことを特徴とするプログラム。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
多モード干渉（ＭＭＩ）デバイスであって、
基板層と、
前記基板層上に配置され、光信号を伝搬するコア層と、
前記コア層上に配置され、前記光信号を導波するクラッディング層と
を備え、
該ＭＭＩデバイスは、複数の曲線の交差によって形成される不均一な形状を有して前記ＭＭＩデバイス内に不均一な屈折率分布を形成するパッチを含み、
前記複数の曲線は、少なくとも１つのスプラインを含むとともに、曲率が零でない少なくとも１つの曲線を含む、
多モード干渉デバイス。
【請求項２】
前記複数の曲線は、異なる曲率を有する少なくとも２つの曲線を含む、請求項１に記載のＭＭＩデバイス。
【請求項３】
前記複数の曲線は、曲率が零である少なくとも１つの曲線を含む、請求項２に記載のＭＭＩデバイス。
【請求項４】
前記スプラインは、異なる曲率を有する少なくとも２つの多項式部分を含む、請求項１に記載のＭＭＩデバイス。
【請求項５】
前記複数の曲線は、複数のスプラインを含む、請求項１に記載のＭＭＩデバイス。
【請求項６】
前記複数の曲線は、平角でない角度で交差する一対の曲線を含む、請求項１に記載のＭＭＩデバイス。
【請求項７】
前記一対の曲線は、直角又は鋭角で交点において交差し、該直角又は鋭角は該交点における前記一対の曲線への接線によって形成される、請求項６に記載のＭＭＩデバイス。
【請求項８】
前記複数の曲線からの１つの曲線が前記ＭＭＩデバイスの側壁と一致する、請求項１に記載のＭＭＩデバイス。
【請求項９】
前記１つの曲線は、零でない曲率を有し、前記ＭＭＩデバイスの湾曲した側壁を形成する、請求項８に記載のＭＭＩデバイス。
【請求項１０】
前記ＭＭＩデバイスは、前記クラッディング層を貫通して、前記コア層の中に一定の厚みまでエッチングされた不均一なパッチパターンを含み、前記不均一なパターン内の少なくとも２つのパッチの寸法は異なる、請求項１に記載のＭＭＩデバイス。
【請求項１１】
前記不均一なパターン内の少なくとも２つのパッチは互いに重なり合う、請求項１０に記載のＭＭＩデバイス。
【請求項１２】
前記不均一なパターン内の少なくとも２つのパッチは、形状又は材料が異なる、請求項１０に記載のＭＭＩデバイス。
【請求項１３】
前記不均一なパターン内の少なくとも１つのパッチのエッジは、前記ＭＭＩの入力面に対して傾斜する、請求項１０に記載のＭＭＩデバイス。
【請求項１４】
多モード干渉（ＭＭＩ）デバイスを用いて所定の作業に従って光信号を操作する方法であって、
前記ＭＭＩデバイス内に不均一な屈折率分布を形成する不均一なパッチパターンを決定することであって、前記所定の作業に従って前記不均一なパッチパターンが前記光信号を操作するようにし、前記不均一なパッチパターンは複数の曲線の交差によって形成される不均一な形状を有するパッチを含み、前記複数の曲線は少なくとも１つのスプラインを含み、前記複数の曲線内の少なくとも２つの曲線は異なる曲率を有することと、
前記不均一なパッチパターンを有する前記ＭＭＩデバイスを作製することと
を含む、
光信号を操作する方法。
【請求項１５】
前記２つの曲線は、曲率が零である１つの曲線と、曲率が零でない１つの曲線とを含む、請求項１４に記載の方法。
【請求項１６】
前記作製することは、
前記パッチの前記曲率が零である曲線又は前記曲率が零でない曲線が前記ＭＭＩデバイスの側壁と一致するように、前記ＭＭＩデバイスのコア層内に前記パッチをエッチングすること
を含む、請求項１５に記載の方法。
【請求項１７】
前記作製することは、
前記ＭＭＩデバイスのコア層を堆積することと、
前記不均一なパッチパターンに従って前記コア層をエッチングして、エッチングの不均一なパターンを形成することと、
前記エッチングの不均一なパターンを充填するクラッディング層を堆積することと
を含む、請求項１４に記載の方法。
【請求項１８】
前記作製することは、
前記ＭＭＩデバイスの第１のコア層を成長させることと、
前記第１のコア層上に、前記ＭＭＩデバイスの第１のクラッディング層を成長させることと、
前記第１のクラッディング層上に、前記ＭＭＩデバイスの第２のコア層を成長させることと、
前記不均一なパッチパターンに従って前記第２のコア層をエッチングして、エッチングの不均一なパターンを形成することと、
前記エッチングの不均一なパターンを充填する第２のクラッディング層を成長させることと
を含む、請求項１４に記載の方法。
【請求項１９】
前記作製することは、
前記ＭＭＩデバイスの第１のコア層を成長させることと、
前記ＭＭＩデバイスのエッチング停止層を成長させることと、
前記エッチング停止層上に堆積した前記ＭＭＩデバイスの第２のコア層を成長させることと、
前記不均一なパッチパターンに従って前記第２のコア層をエッチングして、エッチングの不均一なパターンを形成することであって、前記エッチング停止層のエッチング速度は、前記第２のコア層のエッチング速度よりも遅いことと、
前記エッチングの不均一なパターンを充填するクラッディング層を成長させることと、
を含む
請求項１４に記載の方法。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
複数の発電業者がそれぞれ有する複数の発電装置から送配電網へそれぞれ供給する電力量の情報を電力発電量の情報として取得する発電量情報取得部と、
前記送配電網から複数の電力需要家にそれぞれ供給される電力量の情報を電力使用量の情報として取得する使用量情報取得部と、
前記電力需要家の識別情報と、前記発電装置の種類に対応する情報である契約タイプ情報と、前記電力需要家の地域を示す地域情報とを取得し、前記電力需要家毎に互いに関連付けて記憶部に記憶する選択情報取得部と、
前記電力発電量と前記電力使用量とを同時同量にする電力総量調整パラメータを、同一の地域に存在する前記発電装置の前記電力発電量と前記電力需要家の前記電力使用量の状態と前記記憶部に記憶された前記電力需要家毎の情報に基づいて、前記発電装置毎に算出する調整パラメータ算出部と、
前記電力総量調整パラメータを前記発電装置へ送信する調整パラメータ送信部と、
を備えることを特徴とする電力小売管理装置。 
【請求項２】
前記調整パラメータ算出部は、
前記電力需要家の設備および前記発電装置がそれぞれ接続される前記送配電網に対応させて前記地域を設定する
ことを特徴とする請求項１に記載の電力小売管理装置。 
【請求項３】
前記調整パラメータ算出部は、
前記電力需要家が選択した前記発電装置の種類に応じた前記地域毎の前記電力発電量と前記電力使用量との状態に基づき、前記発電装置毎の前記電力総量調整パラメータを算出する
ことを特徴とする請求項１または２に記載の電力小売管理装置。 
【請求項４】
予め設定された電力発電量を前記送配電網に供給できない前記発電装置を有する発電業者に対する違約金を算出する料金算出部を備える
ことを特徴とする請求項１〜３のいずれか１つに記載の電力小売管理装置。 
【請求項５】
前記発電量情報取得部は、
前記発電装置毎の余裕電力量の情報を取得し、
前記調整パラメータ算出部は、
前記予め設定された電力発電量を前記送配電網に供給できない前記発電装置があることにより電力発電量の総量が不足すると判定した場合、前記余裕電力量を有する前記発電装置から前記送配電網へ供給する電力を増加させるように前記電力総量調整パラメータを算出する
ことを特徴とする請求項４に記載の電力小売管理装置。 
【請求項６】
コンピュータが実行する電力供給管理方法であって、
複数の発電業者がそれぞれ有する複数の発電装置から送配電網へそれぞれ供給する電力量の情報を電力発電量の情報として取得する電力発電量取得ステップと、
前記送配電網から複数の電力需要家にそれぞれ供給される電力量の情報を電力使用量の情報として取得する電力使用量取得ステップと、
前記電力需要家の識別情報と、前記発電装置の種類に対応する情報である契約タイプ情報と、前記電力需要家の地域を示す地域情報とを取得し、前記電力需要家毎に互いに関連付けて記憶部に記憶する選択情報取得ステップと、
前記電力発電量と前記電力使用量とを同時同量にする電力総量調整パラメータを、同一の地域に存在する前記発電装置の前記電力発電量と前記電力需要家の前記電力使用量の状態と前記記憶部に記憶された前記電力需要家毎の情報に基づいて、前記発電装置毎に算出する調整パラメータ算出ステップと、
前記電力総量調整パラメータを前記発電装置へ送信する調整パラメータ送信ステップと、
を含むことを特徴とする電力小売管理方法。
【手続補正２】
【補正対象書類名】明細書
【補正対象項目名】０００８
【補正方法】変更
【補正の内容】
【０００８】
本願に係る電力小売管理装置は、発電量情報取得部と、使用量情報取得部と、選択情報取得部と、調整パラメータ算出部と、調整パラメータ送信部と、を備える。前記発電量情報取得部は、複数の発電業者がそれぞれ有する複数の発電装置から送配電網へそれぞれ供給する電力量の情報を電力発電量の情報として取得する。前記使用量情報取得部は、前記送配電網から複数の電力需要家にそれぞれ供給される電力量の情報を電力使用量の情報として取得する。前記選択情報取得部は、前記電力需要家の識別情報と、前記発電装置の種類に対応する情報である契約タイプ情報と、前記電力需要家の地域を示す地域情報とを取得し、前記電力需要家毎に互いに関連付けて記憶部に記憶する。前記調整パラメータ算出部は、前記電力発電量と前記電力使用量とを同時同量にする電力総量調整パラメータを、同一の地域に存在する前記発電装置の前記電力発電量と前記電力需要家の前記電力使用量の状態と前記記憶部に記憶された前記電力需要家毎の情報に基づいて、前記発電装置毎に算出する。前記調整パラメータ送信部は、前記電力総量調整パラメータを前記発電装置へ送信する。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
操作を受け付ける受付部と、
前記受付部が操作を受け付けている間、前記受付部への力を検出する検出部と、
前記受付部により操作が受け付けられると、操作に応じた処理を実行し、前記検出部で検出された力により前記処理を制御する制御部と、
を備える電子機器。
【請求項２】
請求項１に記載の電子機器において、
前記制御部は、前記検出部で検出された力により、異なる処理を実行する電子機器。
【請求項３】
請求項１または２に記載の電子機器において、
画像を表示する表示部を備え、
前記制御部は、異なる処理を実行したことを前記表示部に表示させる電子機器。
【請求項４】
請求項１または２に記載の電子機器において、
画像を表示する表示部を備え、
前記制御部は、前記検出部で検出された力により、前記表示部に異なる画像を表示させる電子機器。
【請求項５】
請求項４に記載の電子機器において、
前記制御部は、前記検出部で検出された力により、前記表示部に表示する画像を異なる大きさで表示させる電子機器。
【請求項６】
請求項４または５に記載の電子機器において、
前記画像は、文字または図またはアイコンである電子機器。
【請求項７】
請求項１〜６のいずれか一項に記載の電子機器において、
外部機器と通信する通信部を備え、
前記制御部は、前記検出部で検出された力により、前記通信部に異なる処理を実行させる電子機器。
【請求項８】
請求項１〜７のいずれか一項に記載の電子機器において、
前記受付部はタッチパネルであり、
前記検出部はタッチパネルの表示面への力を検出する電子機器。
【請求項９】
請求項１〜８のいずれか一項に記載の電子機器において、
撮像部を備え、
前記制御部は、前記検出部で検出された力と前記撮像部で撮像された画像とにより、異なる処理を実行する電子機器。
【請求項１０】
請求項９に記載の電子機器において、
前記撮像部は、前記受付部が配置されている面と交差する方向を撮像する電子機器。
【請求項１１】
請求項１〜１０のいずれか一項に記載の電子機器において、
生体情報が入力される入力部を備え、
前記制御部は、前記検出部で検出された力と、前記撮像部で撮像された画像または前記入力部に入力された生体情報とにより、異なる処理を実行する電子機器。
【手続補正２】
【補正対象書類名】明細書
【補正対象項目名】発明の名称
【補正方法】変更
【補正の内容】
【発明の名称】電子機器
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
ウェハレベルで半導体発光装置を製造する方法であって、
成長基板の上に半導体構造を成長させ、前記半導体構造は、ｎ型領域とｐ型領域との間に配される発光層を有し、
前記ｐ型領域の上に導電性ボンディング層を形成し、
前記導電性ボンディング層を窓層にボンディングし、
前記成長基板を除去して前記ｎ型領域を露出させ、
前記ｎ型領域の露出された表面領域内又は露出された表面上に、前記窓層に向かって光を指向する光指向構造を形成し、
前記半導体構造を貫いて前記導電性ボンディング層を露出させる開口を形成し、
前記ｎ型領域に電気的に接続されるｎコンタクト及びｐ型領域に電気的に接続されるｐコンタクトを形成し、前記ｐコンタクトは、前記開口内に配されて、前記導電性ボンディング層に接続される、
ことを有する方法。
【請求項２】
前記光指向構造を形成することは、多孔性半導体領域を形成することを有する、請求項１に記載の方法。
【請求項３】
前記光指向構造を形成することは、前記ｎ型領域内に多孔性領域を形成することを有する、請求項１に記載の方法。
【請求項４】
前記多孔性領域を形成することは、
電気化学的な陽極エッチングを実行することと、
前記電気化学的な陽極エッチングを実行することの後に、光化学的な陽極エッチングを実行することと
を有する、請求項３に記載の方法。
【請求項５】
前記電気化学的な陽極エッチングは、前記多孔性領域の深さを決定し、前記光化学的な陽極エッチングは、前記電気化学的な陽極エッチング中に形成された孔を拡大する、請求項４に記載の方法。
【請求項６】
前記窓層は、波長変換構造、セラミック蛍光体、サファイア、ガラス、フィルタ、及び分布ブラッグ反射体のうちの１つである、請求項１に記載の方法。